(57)【特許請求の範囲】
【請求項１】
複数のユーザそれぞれが居住する住宅に設けられるとともに、各住宅で利用されるエネルギーを計測するための計測部と、
前記計測部を含んで構成されるエネルギー表示器と、
複数のユーザそれぞれが使用する情報端末と、
サービス提供者によって管理され、前記計測部および情報端末とネットワークを介して接続されるサービス提供サーバと、を備えており、
前記計測部によるエネルギーの計測は、住宅内を複数のエリアに分け、複数のエリアごとに使用される、使用電力・発電電力・ガス・水の各種エネルギーを検出することによって行われ、この計測部で計測されたエネルギー情報には、エネルギーの種別に関する情報と、住宅内のエリアに関する情報が関連付けられており、
前記計測部によるエネルギーの計測結果であるエネルギー情報は、前記エネルギー表示器と前記情報端末と、に反映されており、
前記エネルギー表示器の表示部は、前記複数のエリアのそれぞれに対応する複数の画像を画面内に表示し、使用電力・発電電力検出部、ガス使用量検出部および水使用量検出部のいずれか一つで検出された現在の使用量を前記複数の画像内に表示するものであり、
前記エネルギー表示器の前記表示部は、使用電力量をエリア別に示すエリアモニター画面において、「洗面所」、「浴室」、「玄関＆ホール」、「外部」、「電気温水器」、「トイレ」、「リビング」、「ダイニング」、「キッチン」、「寝室」、「エアコン」、「子供部屋」の白抜きの枠で囲まれ画像を備え、
前記エリア別に示された各画像は、前記エネルギー表示器を制御する制御部が、各エリアに設定された使用電力量が所定の使用量を越えたと判断した時に、「白抜きの枠で囲まれた表示状態」から、「エリア名と現在の使用電力量を表示した緑色の大きな画像」に変更するように設定され、
さらに前記エリア別に示された各画像のうち「リビング」、「キッチン」、「子供部屋」の画像は、前記制御部が、前記所定の使用電力量を超えた状態で、且つ、所定の使用時間を経過したと判断した時に、「エリア名と現在の使用電力量を表示した緑色の大きな画像」から「エリア名と現在の使用電力量と経過時間を表示し、且つ、点滅する緑色の大きな画像」に変更するように設定されており、
前記サービス提供サーバは、ユーザそれぞれの住宅の計測部で計測されたエネルギーの情報に基づくサービスを、ユーザそれぞれが使用する情報端末に対して提供するように構成されており、
前記サービス提供サーバは、
当該サービス提供サーバの動作を制御する制御部と、
前記計測部から送信されたエネルギー情報を、時間情報と関連付けて記憶する記憶部と、
ネットワークを介して、ユーザに提供するサービスに関する通知を行う通知手段と、を有しており、
前記サービス提供サーバによって前記情報端末に提供されるサービスの一つとして、前記計測部で計測されたエネルギー情報を表示するデータ表示機能サービスがあり、
前記サービス提供サーバによって前記情報端末に提供されるサービスの一つとして、ユーザが外出中の時間を指定し、自宅における予め決定された手洗い場での水の使用量を、前記計測部と前記記憶部とを利用して測定するサービスがあり、
当該サービスでは、前記手洗い場での水の使用量の測定結果を、家族の帰宅情報として、前記通知手段を利用して前記情報端末に通知することを特徴とするネットワークサービスシステム。
【発明の詳細な説明】
【技術分野】
【０００１】
本発明は、住宅内のエネルギー情報を用いるネットワークサービスシステムに関する。
【背景技術】
【０００２】
従来、居住者の生活状況を住宅内に取り付けられている各給水栓の使用状態から外部の管理センターで正確に監視し、しかも各給水栓又は配管の異常状態を早期に発見できるようにする目的で、居住者が在宅中に、各給水栓で所定時間の間に通水が無い場合に異常の発生を判断する判定回路を設け、通信回線を介して外部の管理センターに通報するシステムがあった（例えば、特許文献１参照）。
【先行技術文献】
【特許文献】
【０００３】
【特許文献１】特開２００１−０３４８６８号公報
【発明の概要】
【発明が解決しようとする課題】
【０００４】
従来のようなシステムによれば、居住者の生活状況を外部の管理センターで監視しており、異常の発生が外部の管理センターに通報されるが、居住者の生活状況を監視することで得られる住宅内のエネルギー情報の活用が異常時の通報のみであり、一元的である。
ところで、近年、例えばソーシャルネットワーキングサービス（英語：Social Networking Service、ＳＮＳ）等を始め、ネットワークを介して各種のサービスを提供する様々なネットワークサービスが行われている。
そこで、このようなネットワークサービスと、従来のような住宅内のエネルギー情報を活用するシステムとを結びつけたいという要望があった。
【０００５】
本発明の課題は、住宅内のエネルギー情報を用いて、様々なサービス提供を行うことが可能なネットワークサービスシステムを提供することを目的とする。
【課題を解決するための手段】
【０００６】
請求項１に記載の発明は、ネットワークサービスシステムであって、例えば図１〜図１６に示すように、複数のユーザ１，３それぞれが居住する住宅２，４に設けられるとともに、各住宅２，４で利用されるエネルギーを計測するための計測部１６と、
前記計測部１６を含んで構成されるエネルギー表示器１０と、
複数のユーザ１，３それぞれが使用する情報端末２０と、
サービス提供者５によって管理され、前記計測部１６および情報端末２０とネットワークを介して接続されるサービス提供サーバ３０と、を備えており、
前記計測部１６によるエネルギーの計測は、住宅２，４内を複数のエリアに分け、複数のエリアごとに使用される、使用電力・発電電力・ガス・水の各種エネルギーを検出することによって行われ、この計測部１６で計測されたエネルギー情報には、エネルギーの種別に関する情報と、住宅２，４内のエリアに関する情報が関連付けられており、
前記計測部１６によるエネルギーの計測結果であるエネルギー情報は、前記エネルギー表示器１０と前記情報端末２０と、に反映されており、
前記エネルギー表示器１０の表示部１１は、前記複数のエリアのそれぞれに対応する複数の画像を画面内に表示し、使用電力・発電電力検出部１６ａ、ガス使用量検出部１６ｂおよび水使用量検出部１６ｃのいずれか一つで検出された現在の使用量を前記複数の画像内に表示するものであり、
前記エネルギー表示器１０の前記表示部１１は、使用電力量をエリア別に示すエリアモニター画面において、「洗面所」、「浴室」、「玄関＆ホール」、「外部」、「電気温水器」、「トイレ」、「リビング」、「ダイニング」、「キッチン」、「寝室」、「エアコン」、「子供部屋」の白抜きの枠で囲まれ画像を備え、
前記エリア別に示された各画像は、前記エネルギー表示器１０を制御する制御部１３が、各エリアに設定された使用電力量が所定の使用量を越えたと判断した時に、「白抜きの枠で囲まれた表示状態」から、「エリア名と現在の使用電力量を表示した緑色の大きな画像」に変更するように設定され、
さらに前記エリア別に示された各画像のうち「リビング」、「キッチン」、「子供部屋」の画像は、前記制御部１３が、前記所定の使用電力量を超えた状態で、且つ、所定の使用時間を経過したと判断した時に、「エリア名と現在の使用電力量を表示した緑色の大きな画像」から「エリア名と現在の使用電力量と経過時間を表示し、且つ、点滅する緑色の大きな画像」に変更するように設定されており、
前記サービス提供サーバ３０は、ユーザ１，３それぞれの住宅２，４の計測部１６で計測されたエネルギーの情報に基づくサービスを、ユーザ１，３それぞれが使用する情報端末２０に対して提供するように構成されており、
前記サービス提供サーバ３０は、
当該サービス提供サーバ３０の動作を制御する制御部３１と、
前記計測部１６から送信されたエネルギー情報を、時間情報と関連付けて記憶する記憶部３２と、
ネットワークを介して、ユーザ１，３に提供するサービスに関する通知を行う通知手段（例えば通信部３３等）と、を有しており、
前記サービス提供サーバ３０によって前記情報端末２０に提供されるサービスの一つとして、前記計測部１６で計測されたエネルギー情報を表示するデータ表示機能サービスがあり、
前記サービス提供サーバ３０によって前記情報端末２０に提供されるサービスの一つとして、ユーザ１，３が外出中の時間を指定し、自宅における予め決定された手洗い場（測定対象）での水の使用量（エネルギー使用量）を、前記計測部１６と前記記憶部３２とを利用して測定するサービスがあり、
当該サービスでは、前記手洗い場での水の使用量の測定結果を、家族の帰宅情報として、前記通知手段を利用して前記情報端末２０に通知することを特徴とする。
【０００７】
請求項１に記載の発明によれば、前記計測部１６および情報端末２０と、前記サービス提供サーバ３０とをネットワークを介して接続して結びつけることにより、ネットワークサービスシステムを構築できる。そして、前記サービス提供サーバ３０によって、複数のユーザ１，３それぞれの住宅２，４で計測されたエネルギー情報を用いて、ユーザ１，３それぞれが使用する情報端末２０に対してサービスを提供するので、複数のユーザ１，３それぞれの生活に合ったサービスを、複数のユーザ１，３それぞれに提供できる。
また、サービスは、ネットワークを介して前記情報端末２０に対して提供されるので、この情報端末２０が持ち運び可能であれば、ユーザ１，３は、時間や場所にとらわれずに気軽にサービスの提供を受けることができるので、使い勝手がよい。
【０００９】
また、前記制御部３１によってサービス提供サーバ３０の動作を制御し、時間情報と関
連付けて記憶部３２に記憶されたエネルギー情報を用いて、時間情報を用いたサービスを、ユーザ１，３それぞれが使用する情報端末２０に提供することが可能となる。
これによって、ユーザ１，３は、例えば、いつ・どれくらいエネルギーを使用または発電したかという情報や、ユーザ１，３自身が任意で選択した時間の自宅のエネルギー情報等を知ることが可能なサービスを利用することができる。
【００１５】
また、前記サービス提供サーバ３０は、前記通知手段（例えば通信部３３等）によってユーザ１，３に提供するサービスに関する通知を行うので、ユーザ１，３は、例えば前記サービス提供サーバ３０から、サービス提供者からのお知らせや、ユーザ１，３の住宅２，４のエネルギー情報をサービス提供者が分析した結果等の様々な情報を得ることができる。
【発明の効果】
【００１８】
本発明によれば、計測部および情報端末と、サービス提供サーバとをネットワークを介して接続して結びつけることにより、ネットワークサービスシステムを構築できる。そして、サービス提供サーバによって、複数のユーザそれぞれの住宅で計測されたエネルギー情報を用いて、ユーザそれぞれが使用する情報端末に対してサービスを提供するので、複数のユーザそれぞれの生活に合ったサービスを、複数のユーザそれぞれに提供できる。
また、サービスは、ネットワークを介して情報端末に対して提供されるので、この情報端末が持ち運び可能であれば、ユーザは、時間や場所にとらわれずに気軽にサービスの提供を受けることができるので、使い勝手がよい。
【図面の簡単な説明】
【００１９】
【図１】本発明に係るネットワークサービスシステムの構成を示す図である。
【図２】住宅に設置されるエネルギー表示器の構成を示す図である。
【図３】エネルギー表示器の一例を示す図である。
【図４】情報端末の表示部に表示されるマイポータル機能の画面の一例である。
【図５】情報端末の表示部に表示されるユーザ設定機能の画面の一例であり、（ａ）はユーザ情報設定画面、（ｂ）は回路設定画面、（ｃ）は目標設定画面である。
【図６】情報端末の表示部に表示されるお知らせ機能の画面の一例であり、（ａ）はお知らせ一覧画面、（ｂ）はお知らせ詳細画面である。
【図７】サービス提供サーバによって提供される電子掲示板機能の構成を示す図である。
【図８】情報端末の表示部に表示される電子掲示板機能の画面の一例であり、（ａ）は第１掲示板のトップ画面、（ｂ）は第１掲示板の登録画面である。
【図９】情報端末の表示部に表示される電子掲示板機能の画面の一例であり、（ａ）は第２掲示板のトップ画面、（ｂ）は第２掲示板のタグ表示画面である。
【図１０】サービス提供サーバによって提供されるエネウォッチ機能の構成を示す図である。
【図１１】情報端末の表示部に表示されるエネウォッチ機能の設定画面の一例である。
【図１２】サービス提供サーバによって提供されるお帰りアラーム機能の構成を示す図である。
【図１３】情報端末の表示部に表示されるお帰りアラーム機能の設定画面の一例である。
【図１４】情報端末の表示部に表示されるデータ表示機能の画面の一例であり、（ａ）は利用状況画面、（ｂ）はセンサ比較画面、（ｃ）は売電状況画面である。
【図１５】サービス提供サーバによって提供されるレポート機能の構成を示す図である。
【図１６】サービス提供サーバによって提供される太陽光発電状態一覧表示機能の構成を示す図である。
【発明を実施するための形態】
【００２０】
以下、図面を参照して本発明の実施の形態について説明する。
【００２１】
＜ネットワークサービスシステムの構成＞
図１は本発明に係るネットワークサービスシステムの一例を示す図である。
このネットワークサービスシステムは、計測部１６と、情報端末２０と、サービス提供サーバ３０と、を備えている。
計測部１６は、複数のユーザ１，３それぞれが居住する住宅２，４で利用されるエネルギーを計測するためのものであり、これら各住宅２，４に設けられている。
情報端末２０は、複数のユーザ１，３それぞれが使用するものであり、デスクトップやラップトップ等のパーソナルコンピュータや、スマートフォンや携帯電話、ＰＤＡ（Personal Digital Assistant）等の携帯端末、その他、タブレット型パソコン等、全ての端末装置を含む。特に、本実施の形態においては、スマートフォンやノートパソコン等のように携帯が可能な情報端末を採用している。
サービス提供サーバ３０は、サービス提供者５によって管理されており、インターネット等のネットワークを介して、サービス提供者５と、前記計測部１６および情報端末２０と接続されている。そして、このサービス提供サーバ３０は、ユーザ１，３それぞれの住宅２，４の計測部１６で計測されたエネルギーの情報に基づくサービスを、ユーザ１，３それぞれが使用する情報端末２０に対して提供するように構成されている。
なお、外部ネットワーク切断時にも対応できるように、住宅２，４内にＷＥＢサーバを設置しても良いものとする。
【００２２】
本実施の形態において、住宅２，４内で利用されるエネルギーとしては、電気事業者から供給される電力および自家発電された電力、ガス事業者から供給されるガス、水道事業者から供給される水を指している。
【００２３】
ユーザ１，３は、サービス提供サーバ３０からサービスの提供を受けるとともに、サービス提供サーバ３０に対して自宅２，４のエネルギー情報を提供する者である。また、ユーザ１，３はそれぞれ住宅２，４に居住しており、本実施の形態においては、住宅２，４に居住する家族全員を指して、ユーザと呼称している。すなわち、住宅２，４に居住するユーザ１，３が単身であっても複数人であってもユーザと呼称し、同一の住宅２，４に居住する住人全てがユーザ１，３とされている。例えば４人家族が住宅２に居住する場合、住宅２のユーザ１は４人である。
【００２４】
また、ユーザ１，３それぞれが居住する住宅２，４には、住宅２，４内のエネルギー情報を表示するエネルギー表示器１０が設置されており、このエネルギー表示器１０は、前記計測部１６を含んで構成されている。したがって、このエネルギー表示器１０で表示されるエネルギー情報と、前記情報端末２０に提供されるサービスに利用されるエネルギー情報とを共通のものとすることができる。
これによって、ユーザ１，３は、前記サービス提供サーバ３０から情報端末２０に対して提供されるサービスだけでなく、エネルギー表示器１０で住宅２，４のエネルギー情報も知ることができるので、より多くのサービスを受けることができる。
【００２５】
さらに、住宅２には、自家発電設備として、屋根に、太陽光発電装置２ａが設置されており、太陽光発電ができるようになっている。
なお、自家発電設備は太陽光発電装置２ａに限られるものではなく、例えば燃料電池やガスから電気を発生させる発電システム等の発電システムを採用しても良く、適宜変更可能であることは言うまでもない。
【００２６】
サービス提供者５は、サービス提供サーバ３０を管理する者であり、ユーザ１，３との間で交わされた取り決めにより、ユーザ１，３の自宅２，４で利用されるエネルギーの情報を収集する権利を有する。なお、サービス提供サーバ３０の管理は業者に委託しても良く、間接的に、サービス提供サーバ３０を管理することができる。この場合、管理を委託された業者に、ユーザ１，３の自宅２，４で利用されるエネルギーの情報を収集する権利はなく、あくまでサービス提供者５のみが有する。
本実施の形態においてサービス提供者５は、ユーザ１，３が居住する住宅２，４の施工を行った住宅メーカーを指しているが、これに限定されるものではない。
【００２７】
また、サービス提供者５も、図１等に示すように、前記サービス提供サーバ３０にネットワークを介して接続される情報端末６を有しており、ネットワークサービスシステムの構成要素として、ネットワークサービスシステムに備えられている。
このサービス提供者５側の情報端末６では、例えばユーザ１，３の情報端末２０に通知するお知らせの管理・書き込みや、後述する通信部３３による情報端末２０へのメール送信、後述する第２掲示板４２の管理、ユーザ情報の管理、ユーザ１，３が居住する住宅２，４の太陽光発電装置２ａの発電状態の監視、住宅２，４で利用される電力等の監視および最適化診断等を行うことができる。
【００２８】
また、複数のユーザ１，３それぞれが使用する情報端末２０は、同一の住宅２，４に居住する住人（ユーザ１，３）それぞれが個々に所有する情報端末を指しても良いし、家族間で、共同で使用する一台の情報端末を指すものとしても良い本実施の形態においては、情報端末２０としてスマートフォンを採用し、同一の住宅２，４に居住する住人それぞれが個々に情報端末２０を所有しており、情報端末２０を利用して、同一の住宅２，４に居住する住人それぞれが個々にサービスの提供を受けられるものとする。
【００２９】
このような情報端末２０は、サービス内容を表示する表示部２１と、前記サービス提供サーバ３０の動作を操作するための操作部２２とを有している。
情報端末２０は、図４に示すように、情報端末２０正面の大部分を占めるディスプレイ部分を前記表示部２１としている。また、本実施の形態の情報端末２０のディスプレイ部分はタッチパネルとされている。すなわち、情報端末２０のディスプレイ部分を前記操作部２２としている。したがって、表示部２１に表示されるボタン２２ａ等を押下したり、画面をスライドさせたり、文字入力することによって操作ができる。また、筺体の正面下部や側面にも別のボタンが設けられており、操作を行えるようになっている。
これによって、前記表示部２１に表示されるサービスを、前記操作部２２で、前記サービス提供サーバ３０の動作を操作しながら利用することができる。
なお、本実施の形態の操作部２２としては、ボタン２２ａ、選択されることで表示部２１にキーボード画面も同時に表示できる入力欄２２ｂ、複数の選択肢から任意の項目を選択する所謂プルダウンリストである選択ボタン２２ｃ、タブ切替ボタン２２ｄ、ラジオボタン２２ｅ、チェックボックス２２ｆ、リンク２２ｇ等が採用されている。
【００３０】
前記サービス提供サーバ３０は、各種コンピュータやデータ通信等の装置を設置運用することに特化したデータセンターに設置されている。そして、このサービス提供サーバ３０は、ネットワークを介して、サービス提供者５側の情報端末６と接続されており、サービス提供者５によって管理されている。
【００３１】
このようなサービス提供サーバ３０は、インターネット上のＷｅｂサーバやアプリケーションサーバ等から構成されており、図１に示すように、サービス提供サーバ３０の動作を制御する制御部３１と、前記計測部１６から送信されたエネルギー情報を、時間情報と関連付けて記憶する記憶部３２とを有している。すなわち、前記制御部３１によってサービス提供サーバ３０の動作を制御し、時間情報と関連付けて記憶部３２に記憶されたエネルギー情報を用いて、時間情報を用いたサービスを、ユーザ１，３それぞれが使用する情報端末２０に提供することが可能となる。
これによって、ユーザ１，３は、例えば、いつ・どれくらいエネルギーを使用または発電したかという情報や、ユーザ１，３自身が任意で選択した時間の自宅のエネルギー情報等を知ることが可能なサービスを利用することができる。
また、前記記憶部３２には、エネルギー情報が蓄積されることになり、この蓄積データを利用して、サービスの提供を行うことができる。
【００３２】
なお、このサービス提供サーバ３０は、例えばＧＰＳや原子時計等から正確な時間情報を得ているものとする。この時間情報が、各住宅２，４から収集したエネルギー情報に関連付けられている。
また、このエネルギー情報は、時間情報と関連付けるだけでなく、エネルギーの種別情報や住宅２，４内の複数のエリア情報と関連付けて記憶されている。すなわち、住宅２，４内のどこのエリアで使用された、どのような種類のエネルギーなのかが明確になる。
【００３３】
また、サービス提供サーバ３０は、図１および図６に示すように、前記サービス提供サーバ３０は、ネットワークを介して、ユーザ１，３に提供するサービスに関する通知を行う通知手段を備えている。これによって、ユーザ１，３は、例えば前記サービス提供サーバ３０を介して、サービス提供者からのお知らせやメール３４、ユーザ１，３の住宅２，４のエネルギー情報をサービス提供者が分析した結果のレポート３５等、様々な情報を得ることができる。
【００３４】
通知手段の一つとして、図１に示す通信部３３が挙げられる。この通信部３３は、サービス提供サーバ３０と情報端末２０との間での通信だけでなく、エネルギー表示器１０との間での通信や、サービス提供者５側の情報端末６との間での通信も担うものである。
なお、本実施の形態のエネルギー表示器１０は、通信部１５を備えているが、この通信部１５は送信専用とされている。このため、通信部３３は、エネルギー表示器１０から、計測部１６で計測されたエネルギー情報のみ受信している。通信部３３とサービス提供者５側の情報端末６との間での通信は双方向で行われている。
【００３５】
また、サービス提供者５側の情報端末６で、ユーザ１，３に通知するお知らせの書き込みを登録更新するのに伴って、サービス提供サーバ３０を介して、情報端末２０のお知らせ機能の更新を行うことも一つの通知手段として挙げられる。すなわち、サービス提供者５側の情報端末６と、ユーザ１，３側の情報端末２０とが、サービス提供サーバ３０を介して一部連動した状態となっている。これを利用して通知を行ったり、ユーザ情報等の管理を行ったりすることが可能となっている。
【００３６】
前記計測部１６によるエネルギーの計測は、住宅２，４内を複数のエリアに分け、複数のエリアごとに使用される各種エネルギーを検出することによって行われる。
図２において、符号１６ａは、複数のエリアにおいて使用される電力の使用量をそれぞれ検出するとともに、太陽光発電装置２ａが発電した電力を検出する使用電力・発電電力検出部である。
使用電力・発電電力検出部１６ａは、電気が使用された場合に電力の使用量を計測し、太陽光発電装置２ａで発電された電力（発電電力）の発電量を計測する。
また、符号１６ｂは、複数のエリアにおいて使用されるガスの使用量を検出するガス使用量検出部であり、符号１６ｃは、複数のエリアにおいて使用される水の使用量をそれぞれ検出する水使用量検出部であり、符号１７は、パルスカウンターである。
ここで、ガス使用量検出部１６ｂはガスの使用があった場合に使用量に応じたパルス信号をパルスカウンター１７に出力する。水使用量検出部１６ｃは水の使用があった場合に使用量に応じたパルス信号をパルスカウンター１７に出力する。そして、パルスカウンター１７は、ガス使用量検出部１６ｂおよび水使用量検出部１６ｃから出力されるパルスをカウントしてガスの積算使用量および水の積算使用量をそれぞれ算出し、信号出力する。
計測部１６で計測されたエネルギー情報には、エネルギーの種別に関する情報と、住宅内のエリアに関する情報が関連付けられていることになる。
【００３７】
このような計測部１６を含むエネルギー表示器１０は、図２に示すように、表示部１１と、操作部１２と、制御部１３と、記憶部１４と、通信部１５とを備えている。
表示部１１は、例えば、液晶画面で構成される。表示部１１は、制御部１３からの表示信号に応じた画像を画面に表示する。具体的には、表示部１１は、前記複数のエリアのそれぞれに対応する複数の画像を画面内に表示し、使用電力・発電電力検出部１６ａ、ガス使用量検出部１６ｂおよび水使用量検出部１６ｃのいずれか一つで検出された現在の使用量を前記複数の画像内に表示する（図３参照）。
操作部１２は、例えば図３に示すように、「発電」画面、「目標達成」画面、「エリア別」画面、「分岐別」画面の切り替えや、「電気使用量」画面、「ガス使用量」画面、「水道使用量」画面の切り替え等を行う操作手段である。また、複数のエリアの各々に所定の使用量や所定の時間等の設定値を入力するためのボタン等が配置された操作手段でもあり、ユーザ１，３の操作に応じた操作信号を制御部１３に出力する。
記憶部１４は、表示部１１に表示する複数の画像、使用電力量、発電量、ガス使用量、水使用量等の各種データを記憶する。また、各エネルギーの使用量・発電量が記憶部１４に記憶される際に、時間情報も関連付けて記憶されている。この記憶部１４に記憶された各エネルギーの使用量・発電量のデータが、エネルギー情報として通信部１５からサービス提供サーバ３０に送信される。
通信部１５は、上述のように送信専用とされており、計測部１６で計測されたエネルギー情報を送信している。通信部１５から送信されたエネルギー情報は、サービス提供サーバ３０の通信部３３によって受信される。
【００３８】
本実施の形態のエネルギー表示器１０では、図３に示すように、左に表示部１１が配置され、右に操作部１２が配置されている。
操作部１２は、上下左右ボタン１２ａ、決定ボタン１２ｂ、戻るボタン１２ｃ、切り替えボタン１２ｄ、メニューボタン１２ｅ、ＴＯＰボタン１２ｆから構成される。
ここで、切り替えボタン１２ｄは、「電気」、「ガス」、「水道」のいずれかを選択するために使用される。メニューボタン１２ｅを押すと、設定画面やその他のサブメニューが選択可能に表示部１１に表示される。
ＴＯＰボタン１２ｆを押すと、予め設定した画像が表示される。本実施の形態では図示はしないが、発電状態を示す画面が、ＴＯＰボタン１２ｆを押したときに表示される画面とされている。
図３において、画面の右には、「発電」、「目標達成」、「エリア別」、「分岐別」の項目が表示されている。これらの項目は、上下左右ボタン１２ａの上下方向のいずれかのボタンを押すことにより選択可能であり、画面の切り替えを行うことができる。
【００３９】
また、図３に示す画面は、電気の使用電力量等をエリア別に示すエリアモニター画面とされている。この画面の中で、「洗面所」、「浴室」、「玄関＆ホール」、「外部」、「電気温水器」、「トイレ」は、所定の使用量未満の使用電力であり、白抜きの枠で囲まれている。
また、「リビング」、「ダイニング」、「キッチン」、「寝室」、「エアコン」、「子供部屋」の各画像は、所定の使用量以上の使用電力である場合の表示状態を示す。
ここで、各画像は緑色の大きな画像であり、エリア名および現在の使用電力量が各画像内に表示されている。所定の使用量は、例えば、リビングが２００Ｗ、子供部屋が１５０Ｗに設定されている。
制御部１３は、「リビング」、「ダイニング」、「キッチン」、「寝室」、「エアコン」、「子供部屋」の各エリアに設定された所定の使用量を超えたと判断し、前記所定の使用量を超えたエリアの画像の表示状態を「白抜きの枠で囲まれた表示状態」から「緑色の大きな画像」に変更する。
【００４０】
さらに、「リビング」、「キッチン」、「子供部屋」の各画像には、「９０分」、「６０分」、「３０分」の時間表示がそれぞれされている。
制御部１３が前記所定の使用量を越えた状態で「リビング」、「キッチン」、「子供部屋」の各エリアに設定された所定の使用時間（例えば、３０分）を経過したと判断し、制御部１３は前記所定の使用時間が設定されたエリアの画像の表示状態を「エリア名と現在の使用電力量を表示した緑色の大きな画像」から「エリア名と現在の使用電力量と経過時間を表示し、且つ、点滅する緑色の大きな画像」に変更する。
【００４１】
また、「エアコン」の画像は、所定の使用量以上の使用電力である場合の他の表示状態を示す。
ここで、「エアコン」の画像は、画像が大きくなり、オレンジ色の画像となっている。制御部１３は、「エアコン」のエリアに設定された所定の使用量（例えば、ブレーカー容量の９０％）を超えたと判断し、前記所定の使用量を超えたエリアの画像の表示状態を「白抜きの枠で囲まれた表示状態」から「オレンジ色の大きな画像」に変更する。
なお、制御部１３は、「エアコン」のエリアに設定された所定の使用量（例えば、ブレーカー容量の９０％）を超えたと判断し、前記所定の使用量を超えたエリアの画像の表示状態をから「エリア名と現在の使用電力量を表示した緑色の大きな画像」または「エリア名と現在の使用電力量と経過時間を表示し、且つ、点滅する緑色の大きな画像」から「オレンジ色の大きな画像」に変更する場合もある。
また、制御部１３は、「エアコン」のエリアに設定された所定の使用量（例えば、ブレーカー容量の９０％）以下になったと判断し、「エリア名と現在の使用電力量を表示したオレンジ色の大きな画像」から、「エリア名と現在の使用電力量を表示した緑色の大きな画像」または「エリア名と現在の使用電力量と経過時間を表示し、且つ、点滅する緑色の大きな画像」等に変更する。
【００４２】
そして、エリアモニター画面から「発電」画面、「目標達成」画面、「分岐別」画面等に切り替えた場合は、その項目に適当な画面が表示されるようになっている。
いずれの画面においても、ユーザ１，３は、エネルギーの使用状態や発電状態の良否について容易に把握することが可能となっている。
【００４３】
＜サービスの説明＞
次に、サービス提供サーバ３０によって情報端末２０に提供されるサービスについて説明する。
なお、本実施の形態において、ユーザ１，３は、サービス提供サーバ３０から、サービスを実行するためのアプリケーションをネットワーク経由で予め情報端末２０にダウンロードしておき、サービスの提供を受ける際には、アプリケーションを起動するとともに操作部２２を操作して、アプリケーションを実行する。
また、サービス提供者５は、任意で課金システムを採用し、ユーザ１，３の了承に基づいて、ユーザ１，３がアプリケーションをダウンロードする際や、アプリケーションを継続して利用する際などに料金を課することができる。
【００４４】
アプリケーションを起動させると、図示はしないが、表示部２１には初回のみ、または毎回ログイン画面が表示される。
ログイン画面では、ログインＩＤおよびパスワードの入力欄と、ログインボタンとが表示される。また、このログイン画面では、ログインＩＤおよびパスワードを忘れた際に表示されるＩＤおよびパスワード紛失画面（図示せず）を表示するためのリンクが表示される。
なお、ログイン画面が初回のみ表示される設定の場合には、ログアウトするまで、ログイン状態が保持される。したがって、ログアウトしない限り、アプリケーション起動時にログイン画面は表示されない設定となっている。
ログインが完了すると表示部２１には、図４に示すように、ユーザ１，３が受けられるサービスの一つであるマイポータル機能の画面５０が表示される。
本実施の形態のネットワークサービスシステムでは、ユーザ１，３は、マイポータル機能やユーザ情報設定機能、お知らせ機能、電子掲示板機能、エネウォッチ機能、お帰りアラーム機能、データ表示機能、レポート機能、太陽光発電状態一覧表示機能等のサービスを受けることができる。
【００４５】
＜マイポータル機能＞
マイポータル機能は、サービス提供サーバ３０から提供される各サービスの入り口として機能するものである。
マイポータル機能では、画面５０の左上に、最新データ取得時刻が表示される。
画面５０の右上には、「ログアウト」ボタン２２ａ、その下方に、「ユーザ設定」ボタン２２ａが表示される。「ログアウト」ボタン２２ａを押下することで、表示部２１には、図示しないログアウト画面が表示される。ログアウト画面には、「ログイン」ボタン２２ａが表示されるものとする。
「ユーザ設定」ボタン２２ａを押下することで、表示部２１には、ユーザ情報設定画面６０が表示される。
最新データ取得時刻表示および「ユーザ設定」ボタン２２ａの下方には、目標達成度バーが表示される。この目標達成度バーでは、ユーザ１，３が設定したエネルギー使用量の目標に対する達成度をゲージで表すことができる。
【００４６】
目標達成度バーの下方には、各サービスの画面を表示させるためのボタン２２ａが複数表示される。
具体的には、「今月の設定」ボタン２２ａや、「データ表示」ボタン２２ａ、「エネウォッチ」ボタン２２ａ、「お帰りアラーム」ボタン２２ａ、「レポート」ボタン２２ａ、「ファミリーノート」ボタン２２ａ、「お知らせ一覧」ボタン２２ａ、「みんなのノート」ボタン２２ａが表示される。
【００４７】
各サービスの複数のボタン２２ａの下方には、キャラクターとともに問いかけ表示が表示される。問いかけに応じるための「はい」ボタン２２ａ、「いいえ」ボタン２２ａも表示される。
ユーザ１，３がマイポータル機能の画面５０の表示時に、このような問いかけに応じることによって、ユーザ１，３の生活の標準的なパターンを学習し、それに対する変位を元にユーザ１，３の生活の変化を推定できるようになる。そして、例えば昨日に電力使用量が高かった場合などに、ユーザ１，３に対して、その旨をコメントできるようにすることができる。すなわち、この問いかけ表示は、日々のエネルギー使用に関するコメントをユーザ１，３に対して発信するガイダンスサービスとして機能することになる。
【００４８】
問いかけ表示の下方には、前記「お知らせ一覧」ボタン２２ａを押下することで表示されるお知らせ一覧画面７０のうち、日時の新しい順に、お知らせが１件以上表示される。すなわち、ユーザ１，３に対して、お知らせ一覧の更新の有無を、お知らせ一覧画面７０を表示させずに知らせることができる。
左側にお知らせが投稿された日時が表示されており、右側にお知らせのタイトルが表示される。また、お知らせのタイトルはリンク２２ｇとされており、押下することで、お知らせ詳細画面７１が表示される。
【００４９】
＜ユーザ情報設定機能＞
マイポータル機能の画面５０で、「ユーザ設定」ボタン２２ａを押下すると、表示部２１には、ユーザ情報設定画面６０が表示される。以下、画面に表示される項目に従って適宜操作する。
このユーザ情報設定画面６０には、主に、図５（ａ）に示すように、ユーザ１，３に関する基本情報を設定するための項目が表示される。
具体的には、「ユーザＩＤ」入力欄２２ｂ、「ＭＯＣ−ＩＤ」入力欄２２ｂ、「ログインＩＤ」入力欄２２ｂ、「ログインＩＤ（確認用）」入力欄２２ｂ、「氏名」入力欄２２ｂ、「ニックネーム」入力欄２２ｂ、「パスワード」入力欄２２ｂ、「パスワード（確認用）」入力欄２２ｂ、「メールアドレス」入力欄２２ｂ、「住所」入力欄２２ｂ、「電話番号」入力欄２２ｂ、「詳細設定」ボタン２２ａ、「回路設定」ボタン２２ａ、「目標設定」ボタン２２ａが表示される。ユーザ情報設定を行っていないユーザ１，３は、各入力欄２２ｂに必要事項を入力する。また、各ボタン２２ａを押下して各設定画面を表示し、必要な設定を行う。
なお、「メールアドレス」入力欄２２ｂ横の「＋」ボタン２２ａ、「−」ボタン２２ａを押下することで、「メールアドレス」入力欄２２ｂの追加・削除が行える。ただし、メインのメールアドレスは削除できないように、入力欄２２ｂの横に「−」ボタン２２ａが表示されない。
また、画面６０の右上には、「ログアウト」ボタン２２ａ、その下方に、「戻る」ボタン２２ａが表示される。「ログアウト」ボタン２２ａを押下することで、表示部２１には、前記ログアウト画面が表示される。「戻る」ボタン２２ａを押下することで、表示部２１には、マイポータル機能の画面５０が表示される。
「戻る」ボタン２２ａの下方には、退会を希望するユーザ１，３のために「退会はこちら」リンク２２ｇが表示される。
画面６０の下方中央には、前記入力欄２２ｂに入力された内容や選択した内容等の設定を保存・更新するための「設定」ボタン２２ａと、当該画面の設定内容をクリアする「クリア」ボタン２２ａが表示される。「設定」ボタン２２ａを押下することで、表示部２１には、図示しない設定完了画面が表示される。この設定完了画面には、「ログアウト」ボタン２２ａ、ユーザ設定に戻るための「戻る」ボタン２２ａ、マイポータル機能の画面５０に戻るための「マイポータル」ボタン２２ａが表示される。
【００５０】
図示はしないが、ユーザ情報設定画面６０で、「詳細設定」ボタン２２ａを押下することで表示される詳細設定画面には、ユーザ１，３の詳細情報を設定するための項目が表示される。
具体的に、この画面には、ユーザ１，３の家族構成、住宅２，４の面積、太陽電池容量を入力する入力欄２２ｂや、その他の発電装置、電力会社、電灯契約種別、給湯器種別を選択する選択ボタン２２ｃ等が表示される。
【００５１】
ユーザ情報設定画面６０で、「回路設定」ボタン２２ａを押下することで表示される回路設定画面６１には、図５（ｂ）に示すように、「ログアウト」ボタン２２ａ、「戻る」ボタン２２ａ、「設定」ボタン２２ａ、「クリア」ボタン２２ａと、回路設定の詳細とが表示される。
なお、この画面６１で「戻る」ボタン２２ａが押下されると、表示部２１には、ユーザ情報設定画面６０が表示される。
ここで回路情報を設定することによって、後述するデータ表示機能で表示されるエネルギー情報と、前記エネルギー表示器１０で表示されるエネルギー情報とを共通のものとすることができる。また、サービス提供者５も同一の回路情報を管理している。
【００５２】
回路設定の詳細は、「電気」タブ切替ボタン２２ｄ、「ガス」タブ切替ボタン２２ｄ、「水道」タブ切替ボタン２２ｄと、エネルギー表示器１０と共通の回路ＩＤを示す「ＩＤ」項目と、この回路ＩＤに対応する場所を示す「どこ」項目と、回路ＩＤに対応する設備・機器等を示す「なに」項目と、回路ＩＤに対応する利用者を示す「だれ」項目と、「ＩＤ」項目、「どこ」項目、「なに」項目、「だれ」項目等の回路情報に対してユーザ１，３が認識しやすい名称を指定する「名称」項目とから構成される。
「どこ」項目、「なに」項目、「だれ」項目には、適宜、選択ボタン２２ｃが表示されており、プルダウンリストで表示される選択肢を選択することができる。「名称」項目には入力欄２２ｂが表示されており、任意の名称を入力する。
「電気」タブ切替ボタン２２ｄ、「ガス」タブ切替ボタン２２ｄ、「水道」タブ切替ボタン２２ｄを押下することで、これら３種別ごとの回路情報を表示できる。
【００５３】
ユーザ情報設定画面６０で、「目標設定」ボタン２２ａを押下することで表示される目標設定画面６２には、図５（ｃ）に示すように、「ログアウト」ボタン２２ａ、「戻る」ボタン２２ａ、「設定」ボタン２２ａ、「クリア」ボタン２２ａと、目標設定の詳細とが表示される。
ここで設定された目標値に対する達成度は、マイポータル機能の画面５０で表示される目標達成度バーで表示される。
【００５４】
なお、この目標設定画面６２は、マイポータル機能の画面５０で、「今月の設定」ボタン２２ａを押下することでも表示される。
ユーザ情報設定画面６０で、「目標設定」ボタン２２ａを押下することで表示される目標設定画面６２も、マイポータル機能の画面５０で、「今月の設定」ボタン２２ａを押下することで表示される目標設定画面６２も共通のものであり、図５（ｃ）に示すものである。
ただし、マイポータル機能の画面５０で「今月の設定」ボタン２２ａを押下することで表示された目標設定画面６２で、「戻る」ボタン２２ａを押下すると、マイポータル機能の画面５０に戻るように設定されている。一方、ユーザ情報設定画面６０で「目標設定」ボタン２２ａを押下することで表示された目標設定画面６２で、「戻る」ボタン２２ａが押下すると、ユーザ情報設定画面６０に戻るように設定されている。
【００５５】
目標設定の詳細は、「電気」タブ切替ボタン２２ｄ、「ガス」タブ切替ボタン２２ｄ、「水道」タブ切替ボタン２２ｄと、各エネルギー使用量の目標値である「がんばりポイント」を設定するための各項目とから構成される。
なお、「電気」タブ切替ボタン２２ｄを押下することで表示される画面６２にのみ、売電量の目標値を設定するための各項目が表示される。
使用量の目標値を設定するための各項目は、使用量削減および発電量増加のレベルを設定するための「設定レベル」項目と、設定レベルから目標値を算出する際の基準対象を選択する「基準対象」項目と、選択可能な基準対象の実績値を示す「実績値」項目と、設定レベルおよび基準対象で選択した内容に応じて目標金額が自動的に入力される「がんばりポイント」項目とからなる。
売電量の目標値を設定するための各項目は、設定レベルから目標値を算出する際の基準対象を選択する「基準対象」項目と、選択可能な基準対象の実績値を示す「実績値」項目と、設定レベルおよび基準対象で選択した内容に応じた目標値を表示する「がんばりポイント」項目とからなる。
【００５６】
「設定レベル」項目には、選択ボタン２２ｃが表示されており、使用量削減において基準対象の実績値から−５％の削減と、売電量増加において基準対象の実績値から＋５％の増加を目指す「ゆるエコ」選択肢と、−１０％削減および＋１０％増加を目指す「なみエコ」選択肢と、−１５％削減および＋１５％増加を目指す「ごく（極）エコ」選択肢とがプルダウンリストで表示されるようになっている。
「基準対象」項目には、目標値を算出する際の基準対象となる「前月」ラジオボタン２２ｅと、「前年同月」ラジオボタン２２ｅと、「みんなの平均」ラジオボタン２２ｅとが表示されており、いずれか一つを選択できる。
「実績値」項目には、「前月」に設定された実績値を自動的に示す欄と、「前年同月」に設定された実績値を自動的に示す欄と、サービスを利用する全ユーザ１，３…（みんな）の実績値の平均を自動的に示す欄とが表示される。
「がんばりポイント」項目には、設定レベルおよび基準対象で選択した内容に応じた目標値（目標金額）が自動入力される入力欄２２ｂが表示される。目標値を自由に設定したい場合には、自動入力された目標値を編集することで可能である。基準とするデータがない場合には「不明」と表示される。
【００５７】
以上のようなユーザ情報設定機構では、各画面６０，６１，６２で、ユーザ情報の設定や回路設定、目標設定を行うことによって、情報端末２０で、本実施の形態のネットワークサービスシステムの各種サービスを受けたり、住宅内で利用されるエネルギー情報の正確なデータを知ることができたり、エネルギー使用量および売電量の目標の実現を図ることができる。
【００５８】
＜お知らせ機能＞
続いて、マイポータル機能の画面５０で、「お知らせ一覧」ボタン２２ａを押下すると、表示部２１には、お知らせ一覧画面７０が表示される。
このお知らせ一覧画面７０には、図６（ａ）に示すように、サービス提供者５からの宣伝・メンテナンス情報等を始めとする様々なお知らせや、サービス提供者５と提携する企業や団体等からのお知らせなどが一覧表示される。
上述のように、各お知らせのタイトルはリンク２２ｇとされており、押下することで、お知らせ詳細画面７１が表示される。
なお、お知らせ一覧画面７０の右上には、「ログアウト」ボタン２２ａと、「戻る」ボタン２２ａとが表示される。「ログアウト」ボタン２２ａを押下することで前記ログアウト画面が表示される。「戻る」ボタン２２ａを押下することで、表示部２１には、マイポータル機能の画面５０が表示される。
【００５９】
お知らせ詳細画面７１では、図６（ｂ）に示すように、お知らせ一覧画面７０で押下されたタイトルのリンク２２ｇに対応するお知らせの詳細が表示される。
なお、お知らせ詳細画面７１の右上には、「ログアウト」ボタン２２ａと、「戻る」ボタン２２ａとが表示される。「ログアウト」ボタン２２ａを押下することで前記ログアウト画面が表示される。「戻る」ボタン２２ａを押下することで、表示部２１には、お知らせ一覧画面７０が表示される。
【００６０】
＜電子掲示板機能＞
続いて、サービス提供サーバ３０によって情報端末２０に提供されるサービスの一つとして、図７に示す電子掲示板機能がある。
この電子掲示板機能は、前記サービス提供サーバ３０によって、ネットワーク上に設けられた電子掲示板４０を利用して、コミュニケーションの活発化を図るためのサービスである。この電子掲示板４０は、前記サービス提供サーバ３０および前記情報端末２０から書き込み可能に設定されている。
また、この電子掲示板４０は、ユーザ１，３それぞれの住宅２，４に居住するユーザ１，３のみが閲覧可能な第１掲示板４１と、不特定多数の情報端末７から閲覧可能な第２掲示板４２とからなる。
このような電子掲示板機能によれば、サービス提供サーバ３０および情報端末２０から第１掲示板４１に書き込まれた投稿を、ユーザ１，３それぞれの住宅２，４に居住するユーザ１，３のみが閲覧できる。また、前記サービス提供サーバ３０および情報端末２０から第２掲示板４２に書き込まれた投稿を、不特定多数の情報端末７から閲覧できる。つまり、ユーザ１，３それぞれの住宅２，４に居住するユーザ１，３との間で情報を共有（シェア）したり、各ユーザ１，３と不特定多数の情報端末７を使用する他のユーザとの間で情報を共有（シェア）したりすることができる。
これによって、前記第１掲示板４１を利用して家族間でコミュニケーションを取ったり、第２掲示板４２を利用して不特定多数のネットワーク利用者間でコミュニケーションを取ったりすることができる。
特に、第１掲示板４１は、家族の様々な情報や記録を残しておくことができるので、いわゆるファミリーログとして利用することができる。
【００６１】
このような電子掲示板機能を利用する際は、まず、マイポータル機能の画面５０で、「ファミリーノート」ボタン２２ａを押下して、表示部２１に、図８（ａ）に示す第１掲示板４１のトップ画面８０を表示する。または、「みんなのノート」ボタン２２ａを押下して、表示部２１に、図９（ａ）に示す第２掲示板４２のトップ画面９０を表示する。以下、画面に表示される項目に従って適宜操作する。
なお、本実施の形態においては、第１掲示板４１および第２掲示板４２に書き込まれる投稿を、「ノート」と呼称している。したがって、ユーザ１，３それぞれの住宅２，４に居住するユーザ１，３のみが閲覧可能な第１掲示板４１を上記のように「ファミリーノート」と呼称し、不特定多数の情報端末７から閲覧可能な第２掲示板４２を上記のように「みんなのノート」と呼称している。
【００６２】
ファミリーノートのトップ画面８０では、図８（ａ）に示すように、「ログアウト」ボタン２２ａ、マイポータル機能の画面５０に戻るための「戻る」ボタン２２ａ、検索キーワードの入力欄２２ｂ、「検索」ボタン２２ａ、「新規作成」ボタン２２ａ、「全てのノート」ボタン２２ａ、「タグ」ボタン２２ａ、日時の新しい順から数件のノートの日時およびタイトルを示す「ノート一覧」項目が表示される。
なお、ノートのタイトルはリンク２２ｇとされており、押下することで、ノートの詳細画面を表示することができる。また、リンク２２ｇであるタイトルには下線が施されている。
【００６３】
検索キーワードの入力欄２２ｂに任意の語を入力し、「検索」ボタン２２ａを押下することで、ファミリーノート内の登録データのタイトル、内容、投稿者名等に対して部分一致検索を実施することができる。検索結果は、図示しない検索結果一覧画面に表示される。この検索結果一覧画面では、タイトル・投稿者・内容・投稿日時等の項目から構成されるノートが日時の新しい順に並んで表示される。
【００６４】
また、トップ画面８０で、「新規作成」ボタン２２ａを押下することで、表示部２１に、図８（ｂ）に示すような新規作成画面８１を表示できる。
この新規作成画面８１では、登録先項目で、作成するノートの登録先を、「ファミリーノート」チェックボックス２２ｆ、「みんなのノート」チェックボックス２２ｆで選択することができる。すなわち、この新規作成画面８１は、ファミリーノートおよびみんなのノートの共通のノート作成画面となっている。
【００６５】
また、この画面８１では、その他に「タイトル」入力欄２２ｂ、「投稿者」選択ボタン２２ｃ、「タグ」入力欄２２ｂ、「内容」入力欄２２ｂ、「添付」入力欄２２ｂおよび「添付」ボタン２２ａが表示される。
【００６６】
「タイトル」入力欄２２ｂではノートのタイトルを入力し、「投稿者」選択ボタン２２ｃでは、予めユーザ情報の詳細設定画面（図示せず）で設定した家族構成の中から該当する投稿者名を選択する。「タグ」入力欄２２ｂには、ノートの内容を分類する任意のタグ名称を入力する。「内容」入力欄２２ｂには、書き込みたい内容を入力する。「添付」入力欄２２ｂには添付ファイルのデータのリンクを入力する。「添付」ボタン２２ａを押下することで、添付ファイルを参照することができ、参照先から添付ファイルを選択することで、「添付」入力欄２２ｂに添付ファイルのデータのリンクを入力することができる。添付ファイルは特に限定されるものではなく、例えば写真データや住宅２，４のエネルギー情報を始め、様々なデータを添付することができる。
そして、画面８１下部の「設定」ボタン２２ａを押下することで、ノートのファミリーノートまたは／およびみんなのノートへの登録を行うことができる。「クリア」ボタン２２ａを押下することで、作成中のノートの内容を削除することができる。
【００６７】
なお、画面８１右上の「戻る」ボタン２２ａは、ファミリーノートのトップ画面８０を経由して新規作成画面８１を表示させた場合にはファミリーノートのトップ画面８０に戻り、みんなのノートのトップ画面９０を経由して新規作成画面８１を表示させた場合にはみんなのノートのトップ画面９０に戻るように設定されている。
【００６８】
また、トップ画面８０で「全てのノート」ボタン２２ａを押下することで、表示部２１に、図示しないファミリーノートの一覧画面が表示される。すなわち、ファミリーノートに登録された全てのノートを、日時の新しい順に並べて表示できる。
さらに、トップ画面８０で「タグ」ボタン２２ａを押下することで、表示部２１に、図示しないタグ一覧画面が表示される。すなわち、作成したノートは、新規作成時に設定したタグで分類されているので、このタグ一覧画面では、ノートに付与されているタグ名称を一覧表示することができるようになっている。また、タグ名称がリンク２２ｇとされており、押下することで、表示部２１に、タグで分類された全てのノートの一覧を日時の新しい順に表示できる。
なお、いずれの画面でも、ノートのタイトルはリンク２２ｇとされており、押下することで、表示部２１に、ノートの詳細画面を表示することができる。また、いずれの画面にも「戻る」ボタン２２ａが表示されており、押下することで、表示部２１に、直前の画面を表示することができる。
【００６９】
さらに、上述のように電子掲示板４０は、サービス提供サーバ３０からも書き込み可能に設定されているため、ファミリーノートに、前記サービス提供サーバ３０から投稿がなされる。投稿内容としては、例えば各エネルギーの使用量や太陽光発電装置２ａによる発電量等のエネルギー情報に関するデータが書き込まれる。
【００７０】
みんなのノートのトップ画面９０では、図９（ａ）に示すように、「ログアウト」ボタン２２ａ、マイポータル機能の画面５０に戻るための「戻る」ボタン２２ａ、検索キーワードの入力欄２２ｂ、「検索」ボタン２２ａ、「新規作成」ボタン２２ａ、「全てのノート」ボタン２２ａ、「タグ」ボタン２２ａ、日時の新しい順から数件のノートの日時およびタイトル（リンク２２ｇ）を示す「ノート一覧」項目が表示される。
各ボタン２２ａ、項目は、上述のファミリーノートと同様の機能を有しており、みんなのノートに登録されているノートを適宜検索したり、一覧を表示したり、詳細画面を表示したりすることができる。
【００７１】
さらに、上述のように電子掲示板４０は、サービス提供サーバ３０からも書き込み可能に設定されているため、ファミリーノートに、前記サービス提供サーバ３０から投稿がなされる。投稿内容としては、例えば各エネルギーの使用量や太陽光発電装置２ａによる発電量等のエネルギー情報に関するデータのうち、個人情報の特定につながらず、公開しても差し支えないと判断されたものが書き込まれる。
その判断基準は、予めユーザ１，３とサービス提供者５との間で取り決めておくことが望ましい。
【００７２】
図９（ｂ）は、図９（ａ）に示すトップ画面９０で「タグ」ボタン２２ａを押下することによって表示されるタグ表示画面である。すなわち、このタグ表示画面は、例えば「発電」タグで分類されるノートが一覧表示されている。
【００７３】
みんなのノートでは、図９（ｂ）に示すように、ノートごとに「拍手」ボタン２２ａが追加されており、みんなのノートを閲覧する不特定多数の情報端末７からも、この「拍手」ボタン２２ａを押下できるように設定されている。
不特定多数の情報端末７を操作する外部ユーザは、この「拍手」ボタン２２ａを押下することによって、ノートの投稿者に対して好意や応援の意を示すことができる。
また、みんなのノートの各ノートには、この「拍手」ボタン２２ａの他にも、例えば外部ユーザがノートの内容について自分の意見を書き込めるようなＳＮＳサイトやミニブログサイト等の種々のサイトを表示可能なボタン２２ａを追加しても良いものとする。このような種々のサイトを表示可能なボタン２２ａを押下すると、みんなのノートの各ノートの内容を引用した状態でサイトを開き、サイトに参加することができる。
【００７４】
なお、みんなのノートの投稿内容は、サービス提供者５が管理しており、公序良俗に反する投稿や個人情報保護に反する投稿等はサービス提供者５によって強制的に削除される。投稿の削除については、予めサービス提供者５とユーザ１，３との間で、利用規約等によって取り決めを行っておくことが望ましい。
【００７５】
＜エネウォッチ機能＞
続いて、サービス提供サーバ３０によって情報端末２０に提供されるサービスの一つとして、図１０に示すエネウォッチ機能がある。
このエネウォッチ機能は、ユーザ１，３が時間を指定してエネルギーの使用量および発電量を計測するサービスであり、自宅２，４でのエネルギー使用および発電に対する意識の向上を図ることができるものである。
上述のように、エネルギー情報には時間情報が関連付けられて記憶されている。したがって、ユーザ１，３は、情報端末２０を操作して時間を指定するだけで、その指定した時間のエネルギー情報を知ることができる。
さらに、前記ユーザ情報設定機能において回路設定等を行っているため、測定する場所と、測定する機器と、測定するユーザ１，３を指定してエネルギー情報および発電量を知ることができる。
また、測定した結果は、測定したユーザ１，３の情報端末２０に通知される。通知方法は前記通知手段が利用される。結果の通知後、測定結果をファミリーノート、みんなのノートのいずれか若しくは両方に書き込むか否かの選択とコメントの追加ができるように設定されている。通知されるタイミングは、後述する設定画面１００で、「終了」ボタン２２ａが押下された時とする。
また、これに限られずに、自動的にファミリーノート、みんなのノートのいずれか若しくは両方に書き込まれるように設定されていても良い。
【００７６】
このようなエネウォッチ機能を利用する際は、まず、マイポータル機能の画面５０で、「エネウォッチ」ボタン２２ａを押下して、表示部２１に、図１１に示す設定画面１００を表示する。以下、画面に表示される項目に従って適宜操作する。
このエネウォッチ機能の設定画面１００では、「ログアウト」ボタン２２ａ、「戻る」ボタン２２ａ、「タイトル」入力欄２２ｂ、「電気」ラジオボタン２２ｅ、「ガス」ラジオボタン２２ｅ、「水道」ラジオボタン２２ｅ、「どこ」選択ボタン２２ｃ、「なに」選択ボタン２２ｃ、「だれ」選択ボタン２２ｃ、「開始」ボタン２２ａ、「終了」ボタン２２ａ、「中止」ボタン２２ａ、「ステータス」項目、「実行履歴」項目が表示される。
【００７７】
「タイトル」入力欄２２ｂには、例えば「エネウォッチ結果」等の規定文字列が表示されているが、任意のタイトルを入力できる。規定文字列または任意に入力されたタイトルは、ノートに登録されるタイトルとなる。
各ラジオボタン２２ｅおよび各選択ボタン２２ｃは、測定対象を決定するためのものであり、この設定画面１００では、エネルギーの種別は「電気」が選択され、測定する場所は「子供部屋」が選択され、測定する機器は「エアコン」が選択され、測定するユーザ１，３は「太郎」が選択されている。
「開始」ボタン２２ａを押下することによって測定対象のエネルギーの測定が開始される。すなわち、この「開始」ボタン２２ａを押下することによってユーザ１，３は開始時間を指定することができる。測定が開始されると、この「開始」ボタン２２ａは無効化され、「終了」、「中止」ボタン２２ａは有効化される。
測定中に「終了」ボタン２２ａを押下すると測定を完了し、この「終了」ボタン２２ａと「中止」ボタン２２ａは無効化され、「開始」ボタン２２ａは有効化される。すなわち、この「終了」ボタン２２ａを押下することによってユーザ１，３は終了時間を指定することができる。
測定中に「中止」ボタン２２ａを押下すると測定を中止し、この「中止」ボタン２２ａと「終了」ボタン２２ａは無効化され、「開始」ボタン２２ａは有効化される。「中止」ボタン２２ａを押下することは、測定のキャンセルを意味しており、「中止」ボタン２２ａが押下される前までの測定結果は記憶されず、上述のような情報端末２０への測定結果の通知も行われない。
「ステータス」項目には、設定画面１００の状態に応じたメッセージが表示される。図１１では、「開始」ボタン２２ａが押下される前であるため、「開始ボタンで測定を開始します。」というメッセージが表示されている。測定中であれば、例えば開始ボタンを押下した日時と測定中である旨が表示される。
「実行履歴」項目には、ノートに記録されているエネウォッチ機能の実行結果が表示される。日時の新しい順に数件表示され、タイトルが、ノートの詳細画面へのリンク２２ｇとされている。
【００７８】
＜お帰りアラーム機能＞
続いて、サービス提供サーバ３０によって情報端末２０に提供されるサービスの一つとして、図１２に示すお帰りアラーム機能がある。
このお帰りアラーム機能は、ユーザ１，３が時間を指定してエネルギーの使用量および発電量を計測するサービスであり、外出中に、自宅２，４でのエネルギー使用量を測定することができる。
上述のように、エネルギー情報には時間情報が関連付けられて記憶されている。したがって、ユーザ１，３は、情報端末２０を操作して時間を指定するだけで、その指定した時間のエネルギー情報を知ることができる。
本実施の形態において、測定対象については予め決定されており、ユーザ１，３が設定できないようになっている。例えば仕事に出ている親が、子の帰宅を知りたいのであれば、手洗い場での水の使用量や子供部屋の電気使用量を測定していれば良い。また、例えば玄関や窓に設けられる防犯センサを測定対象機器に設定しておけば、このお帰りアラーム機能を防犯システムの一環として利用できる。
なお、本実施の形態においては測定対象をユーザ１，３が設定できないものとしたが、生活パターンは人それぞれであるため、測定対象をユーザ１，３が設定できるものであっても良い。
また、測定した結果は、測定したユーザ１，３の情報端末２０に通知される。通知方法は前記通知手段が利用される。結果の通知後、測定結果をファミリーノート、みんなのノートのいずれか若しくは両方に書き込むか否かの選択とコメントの追加ができるように設定されている。通知されるタイミングは、後述する設定画面１１０で、「終了」ボタン２２ａが押下された時とする。
また、これに限られずに、自動的にファミリーノート、みんなのノートのいずれか若しくは両方に書き込まれるように設定されていても良い。
【００７９】
このようなお帰りアラーム機能を利用する際は、まず、マイポータル機能の画面５０で、「お帰りアラーム」ボタン２２ａを押下して、表示部２１に、図１３に示す設定画面１１０を表示する。以下、画面に表示される項目に従って適宜操作する。
このお帰りアラーム機能の設定画面１１０では、「ログアウト」ボタン２２ａ、「戻る」ボタン２２ａ、「タイトル」入力欄２２ｂ、「開始時刻」選択ボタン２２ｃ、「終了時刻」選択ボタン２２ｃ、「繰り返し」チェックボックス２２ｆ、「曜日」チェックボックス２２ｆ、「開始」ボタン２２ａ、「終了」ボタン２２ａ、「中止」ボタン２２ａ、「ステータス」項目が表示される。
【００８０】
「タイトル」入力欄２２ｂには、例えば「お帰りアラーム結果」等の規定文字列が表示されているが、任意のタイトルを入力できる。規定文字列または任意に入力されたタイトルは、ノートに登録されるタイトルとなる。
「開始時刻」選択ボタン２２ｃでは、即時から１０分単位で指定可能となっている。開始時刻を何時間先まで指定できるかどうかについての説明は適宜変更可能であるため、省略する。
「終了時刻」選択ボタン２２ｃでは、即時から１０分単位で指定可能となっている。終了時刻を何時間先まで指定できるかどうかについての説明は適宜変更可能であるため、省略する。
「繰り返し」チェックボックス２２ｆでは、お帰りアラーム機能を繰り返すか否かを決定する。チェックボックス２２ｆにチェックを入れれば、お帰りアラーム機能は繰り返されることになり、チェックが入れられなければ、お帰りアラーム機能は繰り返されず、１回のみとなる。
「曜日」チェックボックス２２ｆでは、繰り返してお帰りアラーム機能を利用する際の曜日を決定する。この「曜日」チェックボックス２２ｆは、「繰り返し」チェックボックス２２ｆでチェックが入れられた時に有効化される。
「開始」ボタン２２ａを押下することによって測定が開始される。測定が開始されると、この「開始」ボタン２２ａは無効化され、「終了」ボタン２２ａ、「中止」ボタン２２ａは有効化される。
測定中に「終了」ボタン２２ａを押下すると測定を完了し、この「終了」ボタン２２ａと「中止」ボタン２２ａは無効化され、「開始」ボタン２２ａは有効化される。
測定中に「中止」ボタン２２ａを押下すると測定を中止し、この「中止」ボタン２２ａと「終了」ボタン２２ａは無効化され、「開始」ボタン２２ａは有効化される。「中止」ボタン２２ａを押下することは、測定のキャンセルを意味しており、「中止」ボタン２２ａが押下される前までの測定結果は記憶されず、上述のような情報端末２０への測定結果の通知も行われない。
「ステータス」項目には、設定画面１１０の状態に応じたメッセージが表示される。図１３では、「開始」ボタン２２ａが押下される前であるため、「開始ボタンで測定を開始します。」というメッセージが表示されている。測定中であれば、例えば開始ボタンを押下した日時と測定中である旨が表示される。
【００８１】
＜データ表示機能＞
続いて、サービス提供サーバ３０によって情報端末２０に提供されるサービスの一つとして、図１４に示すデータ表示機能がある。
このデータ表示機能は、前記計測部１６で計測されたエネルギー情報を、ユーザ１，３に見やすい形で表示するものであり、ユーザ１，３は、時間や場所にとらわれずに、住宅２，４内のエネルギー情報を知ることができる。
データ表示機能では、図１４（ａ）に示すような、住宅２，４のエネルギーの利用状況画面１２０や、図１４（ｂ）に示すような、電気の回路ごとに料金を比較するセンサ比較画面１２１、図１４（ｃ）に示すような、太陽光発電装置２ａによって発電された電力の売電状況画面１２２を、表示部２１に表示することができる。以下、画面に表示される項目に従って適宜操作する。
【００８２】
利用状況画面１２０では、図１４（ａ）に示すように、「ログアウト」ボタン２２ａ、マイポータル機能の画面５０に戻るための「戻る」ボタン２２ａ、「表示タイトル」項目、「利用状況」選択ボタン２２ｃ、「表示テーマタブ」タブ切替ボタン２２ｄ、「残額表示」項目、「グラフ表示」項目、「表示切替」項目、「比較切替」項目、「ノート一覧」項目、「凡例」項目が表示される。
【００８３】
「表示タイトル」項目には、表示部２１に表示されているグラフ種別のタイトルと、表示されているグラフの日時が表示される。
「利用状況」選択ボタン２２ｃを押下することで、プルダウンリストとして「センサ比較」、「売電状況」という選択肢が表示される。すなわち、この選択ボタン２２ｃは、グラフの画面を、利用状況画面１２０と、センサ比較画面１２１と、売電状況画面１２２のいずれかに切り替えるためのグラフ変更ボタンとなっている。
「表示テーマタブ」タブ切替ボタン２２ｄを押下することで、表示テーマを切り替えることができる。すなわち、図１４（ａ）では、電気・ガス・水道を含んだ「全体」のエネルギー使用量をグラフ表示している。「全体」タブから、「電気」タブや「ガス」タブ、「水道」タブを押下することで、対応する種別のグラフを表示することができる。
「残額表示」項目では、目標までの残高と１日の目安金額が表示される。また、目標を超えた場合はその旨を表示する。
「グラフ表示」項目ではグラフが表示される。縦軸は金額、横軸は時間軸とされている。棒グラフにてエネルギーの使用料金を表示する。なお、月グラフである場合、日単位の積み上げ表示となる。
また、折れ線グラフとして積算値を表示する。なお、月グラフである場合、日々の積算値の表示となる。目標値は該当金額にて点線を表示する。
「表示切替」項目では、「年」選択ボタン２２ｃと、「月」選択ボタン２２ｃと、「日」選択ボタン２２ｃとが横並びで表示される。「年」「月」はデフォルトで、アプリケーション起動時の年月が表示される。
「日」選択ボタン２２ｃの表示が「−」となっている場合は、グラフは月単位で表示される。「日」選択ボタン２２ｃの表示が「−」以外の数値となっている場合は、グラフは日単位で表示される。「日」選択ボタン２２ｃの表示が「−」となっている状態で「月」選択ボタン２２ｃを押下して「月」を変更した場合には、「日」選択ボタン２２ｃの表示は「−」が自動設定される。
「比較切替」項目では、「前年同月」ボタン２２ａと、「前月」ボタン２２ａと、「みんなの平均」ボタン２２ａとが表示される。すなわち、図１４（ａ）で示す画面１２０は「当月」のグラフを表示した状態となっており、「前年同月」ボタン２２ａと、「前月」ボタン２２ａと、「みんなの平均」ボタン２２ａのいずれかを押下することで、該当するグラフを表示できる。
なお、上述の「表示切替」項目で「日」選択ボタン２２ｃの表示が「−」以外の数値となっており、日単位でグラフが表示されている場合には、この「比較切替」項目で表示される「前年同月」ボタン２２ａと、「前月」ボタン２２ａとは、それぞれ、「前年同月日」ボタン２２ａと、「前日」ボタン２２ａに表示変更される。そして、日単位での比較が可能となる。
「ノート一覧」項目では、日時の新しい順から数件のノートの日時およびタイトル（リンク２２ｇ）が表示される。
「凡例」項目では、グラフの凡例が表示される。
【００８４】
センサ比較画面１２１では、図１４（ｂ）に示すように、「ログアウト」ボタン２２ａ、マイポータル機能の画面５０に戻るための「戻る」ボタン２２ａ、「表示タイトル」項目、「センサ比較」選択ボタン２２ｃ、「表示テーマタブ」タブ切替ボタン２２ｄ、「グラフ表示」項目、「表示切替」項目、「比較切替」項目、「ノート一覧」項目、「凡例」項目が表示される。
【００８５】
「センサ比較」選択ボタン２２ｃは、上述の「利用状況」選択ボタン２２ｃと同様に、グラフの画面を、利用状況画面１２０と、センサ比較画面１２１と、売電状況画面１２２のいずれかに切り替えるためのグラフ変更ボタンとなっている。
「表示テーマタブ」タブ切替ボタン２２ｄを押下することで、表示テーマを切り替えることができる。すなわち、図１４（ｂ）では、「どこ」タブが選択されている。「どこ」タブから、「なに」タブや「だれ」タブを押下することで、対応する種別のグラフを表示することができる。
「グラフ表示」項目ではグラフが表示される。図１４（ｂ）では、電力料金を横向きに棒グラフで表示している。また、当月（若しくは当日）のみ表示する場合は横向き棒グラフが１本で表示され、前月（若しくは前日）または前年同月（若しくは前年同月日）と比較する際には、当月の棒グラフと並んで２本の棒グラフが並んで表示される。
その他の操作部２２は、上述の利用状況画面１２０で表示された各操作部２２と同様の機能を有している。
【００８６】
売電状況画面１２２では、図１４（ｃ）に示すように、「ログアウト」ボタン２２ａ、マイポータル機能の画面５０に戻るための「戻る」ボタン２２ａ、「表示タイトル」項目、「売電状況」選択ボタン２２ｃ、「グラフ表示」項目、「表示切替」項目、「比較切替」項目、「ノート一覧」項目、「凡例」項目が表示される。
【００８７】
「売電状況」選択ボタン２２ｃは、上述の「利用状況」選択ボタン２２ｃおよび「センサ比較」選択ボタン２２ｃと同様に、グラフの画面を、利用状況画面１２０と、センサ比較画面１２１と、売電状況画面１２２のいずれかに切り替えるためのグラフ変更ボタンとなっている。
「グラフ表示」項目ではグラフが表示される。図１４（ｃ）では、縦軸は金額、ｋＷｈとされ、横軸は時間軸とされている。折れ線グラフにて消費電力量と、発電量、売電額を表示している。また、棒グラフで発電による自給率を示している。なお、自給率１００％のラインを点線で表示している。
その他の操作部２２は、上述の利用状況画面１２０およびセンサ比較画面１２１で表示された各操作部２２と同様の機能を有している。
【００８８】
なお、図示はしないが、住宅２，４同士のデータを比較して確認できるようにしても良い。様々な分類に分けて確認できることが好ましく、例えばエリアごとや、同じ家族構成、住宅の大きさ、住宅の仕様等の様々な分類で絞り込み、上記の各種データを確認することができる。これによって、自宅のエネルギー使用量や発電量等を、他者と比較できるので、自宅のエネルギー使用量や発電量の改善に役立てることが可能となる。
【００８９】
＜レポート機能＞
続いて、サービス提供サーバ３０によって情報端末２０に提供されるサービスの一つとして、レポート機能がある。
このレポート機能は、サービス提供サーバ３０の記憶部３２に蓄積されたデータをもとに、ユーザ１，３が居住する住宅２，４のエネルギーの状態を割り出し、出力するものである。出力されたエネルギー情報は、レポートとして活用される。レポートは、ユーザ１，３に通知されて住宅２，４の生活向上に利用されたり、ユーザ１，３の同意の上でサービス提供者５が利用したりすることができる。
本実施の形態において、レポートの種類は、「最適電灯契約判断用データ出力」レポート（以下、第１レポート３５）と、「排出権化データ出力」レポート（以下、第２レポート）とがある。
【００９０】
第１レポート３５は、図１５に示すように、サービス提供サーバ３０の記憶部３２に蓄積されたエネルギー情報のデータのうち、消費電力量のデータを出力したものである。
この第１レポート３５は、メール３４に添付するなどしてユーザ１，３に通知される。ユーザ１，３は、第１レポート３５をプリンター等で印刷した後、これを持って電力会社の相談窓口等に出向き、最適な電灯契約を実現できるようにアドバイスを受けることができる。
また、サービス提供者５は、サービス提供サーバ３０の記憶部３２に蓄積されたエネルギー情報のデータを適宜出力して、住宅２，４のエネルギーの状態を把握し、これを事例として販売促進活動等に利用することができる。
【００９１】
第１レポート３５として出力されるエネルギー情報のデータは、１時間ごとの消費電力トレンド（傾向）を１カ月単位で算出する。
まず、所定の月日の所定の時間（例えば２月１日２１時）の総消費電力量の平均を算出する。
例えば、各時間（１０分毎）の消費電力量が、「２１時１０分＝１２．３ｋＷｈ」、「２１時２０分＝１１．７ｋＷｈ」、「２１時３０分＝１２．５ｋＷｈ」、「２１時４０分＝１２．７ｋＷｈ」、「２１時５０分＝１４．６ｋＷｈ」、「２２時００分＝１４．８ｋＷｈ」だとすると、２１時台の総消費電量の平均は「１３．１ｋＷｈ」となる。
同様にしてその他の時間（２１時台以外の時間）も、それぞれ総消費電力量の平均を算出し、所定日（ここでは２月１日）の２４時間分の総消費電力平均を算出する。
同様にして同月（ここでは２月）のその他の日（１日以外の日）も、それぞれ２４時間分の総消費電力平均を算出する。これによって、所定月（ここでは２月）中の日々のデータが蓄積され、各時間（２４時間分）の平均値を算出することができる。
同様にして、その他の月（ここでは２月以外）も、それぞれ月ごとに日々のデータを蓄積し、各時間（２４時間分）の平均値を算出する。
本実施の形態では、最大１２か月分の１時間ごとの平均データを算出して記憶部３２に保持できるように設定されている。また、消費電力量の他に、太陽光発電量や電気給湯器、電気暖房器具のデータについても同様のデータを算出して記憶できる。
このようなデータにより、例えばＣＳＶ（Comma Separated Values）ファイル（すなわち、第１レポート３５）を作成し、ユーザ１，３のメールアドレス宛にメール３４に添付して送信する。
サービス提供サーバ３０には、記憶部３２に蓄積されるエネルギー情報のデータを、以上のようにしてレポート化するための算出プログラムが格納されているものとする。
【００９２】
ユーザ１，３は、マイポータル機能の画面５０で、「レポート」ボタン２２ａを押下することで、表示部２１に、図示しない最適電灯契約判断用データメール送信指示画面を表示することができる。
この画面には、他と同様に「ログアウト」ボタン２２ａと「戻る」ボタン２２ａが表示されるとともに、「メール送信」ボタン２２ａが表示される。ユーザ１，３は、この「メール送信」ボタン２２ａを押下することによってサービス提供サーバ３０から、第１レポート３５が添付されたメールを情報端末２０で受けることができる。
なお、第１レポート３５に載せられるデータは、最大１２カ月分固定としても良いし、最大１２カ月分のデータのうち、任意の月のデータとしても良い。
そして、ユーザ１，３は、第１レポート３５を持って電力会社等に出向き、アドバイスを受け、最適な電灯契約の実現を目指す。最適な電灯契約は、例えば割安な夜間電力を利用した設備や契約内容の導入、生活パターンの改善等により実現することができる。
【００９３】
第２レポートは、図示はしないが、複数のユーザ１，３から収集されて、サービス提供サーバ３０に蓄積されたエネルギー情報のデータのうち、例えば太陽光発電装置２ａの総発電量（ｋＷｈ）、総売電量（ｋＷｈ）と、エコキュートの総電力消費量（ｋＷｈ）と、エネファームの総発電量（ｋＷｈ）等を出力したものである。
複数のユーザ１，３から収集される太陽光発電装置２ａ等のデータは、排出権化に必要な情報が、サービス提供者５によって取りまとめられ、例えばＣＳＶファイル（すなわち、第２レポート）が作成される。そして、サービス提供者５は、この第２レポートを元に申請資料を作成し、国内クレジット認証委員会に提出する。
サービス提供者５は、国内クレジット認証委員会と排出権取引を行い、収益分を、例えば植林事業などの環境・社会貢献事業に充てたり、その他有用な事業に充てたりすることができる。
これによって、ユーザ１，３も、一排出削減事業者として位置づけられることになり、環境や社会に貢献することができる。すなわち、ユーザ１，３は、受けられるサービスの一環として、自宅２，４のエネルギー情報を元に社会貢献を果たすことができる。
【００９４】
＜太陽光発電状態一覧表示機能＞
続いて、サービス提供サーバ３０によって情報端末２０に提供されるサービスの一つとして、図１６に示す太陽光発電状態一覧表示機能がある。
太陽光発電状態一覧表示機能は、図１６に示すように、サービス提供サーバ３０に収集される太陽光発電装置２ａの発電量データに基づいて、発電量が低下している住宅を分析し、その旨、該当住宅のユーザに通知するものである。
【００９５】
すなわち、サービス提供者５側の情報端末６には、太陽光発電異常アラートプログラムが搭載されており、サービス提供者５は、サービス提供サーバ３０に記憶された複数の住宅２，４の太陽光発電装置２ａの発電量データに基づいて、太陽光発電装置２ａの異常を発見することができる。
サービス提供者５またはサービス提供サーバ３０は、異常が発見された場合に、太陽光発電装置２ａの調査を促すメール３４を、ユーザ１，３の情報端末２０に送信する。
ユーザ１，３は、修理会社にエスカレーションして太陽光発電装置２ａの調査を行い、修理箇所があれば適宜修理できるので、太陽光発電装置２ａのメンテナンスを実施しやすくなる。
【００９６】
＜サービス提供者５側の機能＞
次に、図示はしないが、ユーザ１，３がより快適にサービスを利用するために、サービス提供者５側の情報端末６に備えられた機能について説明する。
【００９７】
サービス提供者５側の情報端末６には、ネットワークサービスシステムの管理を行うためのアプリケーションがダウンロードされており、システム管理を行う際は、アプリケーションを起動するとともに適宜操作して、アプリケーションを実行する。
アプリケーションを起動させると、図示はしないが、表示部２１には初回のみ、または毎回ログイン画面が表示される。
ログインが完了すると情報端末６の表示部には、サービス提供者５側のマイポータル画面が表示される。この画面には、「ログアウト」ボタンや、「ユーザ設定」ボタンが表示される。「ユーザ設定」ボタンを押下することで表示される画面には、サービス提供者５側のユーザ設定を行うための項目が表示され、サービス提供者５は必要事項を適宜入力するなどしてユーザ設定を行う。
また、マイポータル画面には、「管理設定」ボタンと、「太陽光発電状況」ボタンと、「レポート」ボタンと、「お知らせ一覧」ボタンと、「みんなのノート」ボタンが表示される。サービス提供者５は、以下、情報端末６の表示部に表示される項目に従って、情報端末６を適宜操作する。
【００９８】
「管理設定」ボタンを押下することで表示される画面には、ユーザ１，３の氏名等が一覧表示される項目と、ユーザ１，３を検索する項目等が表示される。サービス提供者５は、この画面から特定のユーザ１，３を検索したり、検索したユーザ１，３の諸情報を確認したりすることができる。
「太陽光発電状況」ボタンを押下することで表示される画面には、ユーザ１，３が居住する住宅２，４の太陽光発電装置２ａの情報が一覧表示される項目を始め、ユーザ１，３が受ける太陽光発電状態一覧表示機能のサービスを管理するための諸項目が表示される。例えば、太陽光発電異常アラート機能の設定を行うための項目等も表示されるように設定されている。
「レポート」ボタンを押下することで表示される画面には、ユーザ１，３が受けるレポート機能のサービスを管理するための諸項目が表示される。例えば、サービス提供サーバ３０に格納される前記算出プログラムの設定を行うための項目や、複数のユーザ１，３から収集される太陽光発電装置２ａ等のデータを取りまとめるための項目等が表示される。
「お知らせ一覧」ボタンを押下することで表示される画面には、ユーザ１，３の情報端末２０に通知するお知らせの内容を登録するための各項目が表示される。例えば、タイトル入力欄や内容入力欄、「登録」ボタン、「リセット」ボタン等が表示される。
「みんなのノート」ボタンを押下することで表示される画面には、ユーザ１，３が受ける電子掲示板機能のサービスのうち、特にみんなのノートを管理するための諸項目が表示される。例えば、公序良俗に反する投稿や個人情報保護に反する投稿等を検索する項目や、このような投稿の自動検索プログラムの設定を行うための項目等が表示される。
【００９９】
＜アドバイス機能＞
続いて、図示はしないが、サービス提供サーバ３０によって情報端末２０に提供されるサービスの一つとして、アドバイス機能がある。
【０１００】
アドバイス機能は、ユーザ１，３の生活をサポートするためのサービスであり、例えばエネルギー使用量および発電量に関するアドバイスや、生活に関するアドバイス等を、情報端末２０を介してユーザ１，３に提供する。
住宅２，４には、住宅２，４内部および外部の環境情報を取得するための各種センサを取り付けて常に環境情報を取得するとともに、エネルギー表示器１０にて環境情報を収集し、サービス提供サーバ３０側に送信する構成とする。各種センサとしては、例えば温度センサや湿度センサ、降雨センサ等、環境情報を取得するために必要な全てのものが挙げられる。なお、サービス提供サーバ３０に送信された各種情報は、時間情報と関連付けて記憶される。
また、サービス提供サーバ３０では、住宅２，４周辺エリアの気象情報も取得する。エリアの気象情報としては、例えば降水確率や黄砂情報、花粉情報等、必要な全てのものが挙げられる。さらに、地域ごとに建てられた各住宅２，４から環境情報を収集し、この環境情報をもとに、地域ごとの気象観測システムを構築してもよい。
そして、サービス提供サーバ３０は、このように収集された環境情報および気象情報に基づいて、各ユーザ１，３に対して個別に、エネルギー使用量の節約アドバイスや、より快適な生活環境を形成するためのアドバイスを生成し、各ユーザ１，３の情報端末２０に送信する。
【０１０１】
＜認証機能＞
なお、ユーザ１，３へのサービス提供を実現するため、本実施の形態のネットワークサービスシステム全体には、認証機能が作用している。
すなわち、ユーザ１，３の情報端末２０やエネルギー表示器１０にも、サービス提供者５の情報端末６にも、サービス提供サーバ３０にも、例えば識別ＩＤやＭＡＣアドレス、ログインＩＤ、ログインパスワード等を始めとする様々な認証情報が設定されている。本実施の形態のネットワークサービスシステムは、これら認証情報に基づいて認証が行われることにより初めて利用可能となる。
ユーザ１，３は、例えば、ネットワークサービスシステムの利用申請を行う際や、ユーザ設定を行う際、パスワード変更を行う際等に、この認証機能の設定登録や変更を行っている。
【０１０２】
以上のように本実施の形態によれば、前記計測部１６および情報端末２０と、前記サービス提供サーバ３０とをネットワークを介して接続して結びつけることにより、ネットワークサービスシステムを構築できる。そして、前記サービス提供サーバ３０によって、複数のユーザ１，３それぞれの住宅２，４で計測されたエネルギー情報を用いて、ユーザ１，３それぞれが使用する情報端末２０に対してサービスを提供するので、複数のユーザ１，３それぞれの生活に合ったサービスを、複数のユーザ１，３それぞれに提供できる。
また、サービスは、ネットワークを介して前記情報端末２０に対して提供されるので、この情報端末２０が持ち運び可能であれば、ユーザ１，３は、時間や場所にとらわれずに気軽にサービスの提供を受けることができるので、使い勝手がよい。
【符号の説明】
【０１０３】
１  ユーザ
２  住宅
３  ユーザ
４  住宅
５  サービス提供者
６  情報端末
１０  エネルギー表示器
１６  計測部
２０  情報端末
２１  表示部
２２  操作部
３０  サービス提供サーバ
３１  制御部
３２  記憶部
３３  通信部
【図１】
0005780833.tif 000002
【図２】
0005780833.tif 000003
【図３】
0005780833.tif 000004
【図４】
0005780833.tif 000005
【図５】
0005780833.tif 000006
【図６】
0005780833.tif 000007
【図７】
0005780833.tif 000008
【図８】
0005780833.tif 000009
【図９】
0005780833.tif 000010
【図１０】
0005780833.tif 000011
【図１１】
0005780833.tif 000012
【図１２】
0005780833.tif 000013
【図１３】
0005780833.tif 000014
【図１４】
0005780833.tif 000015
【図１５】
0005780833.tif 000016
【図１６】
0005780833.tif 000017